(57)【特許請求の範囲】
【請求項１】
少なくとも１以上の方形のソーラーパネルを設置場所に設置するためのソーラーパネル用架台であって、
前記ソーラーパネルの対向する二辺に沿って前記設置場所に移動可能に配置される一対のベースレールと、
この一対のベースレールに移動可能に取付けられ、前記ソーラーパネルの二辺を支持する複数の支持部材と、
前記ベースレールを前記設置場所に動かないように固定保持するバラストと、
前記一対のベースレールに掛け渡された載荷フレームと、
を備え、
前記バラストは、前記載荷フレームに載置する構成としたことを特徴とするソーラーパネル用架台。
【請求項２】
前記ベースレールは、架台の横ずれを防止する横ずれ防止部材を有していることを特徴とする請求項１に記載のソーラーパネル用架台。
【請求項３】
前記バラストは、前記ソーラーパネルの下方投影範囲内および下方投影範囲外において前記ベースレールを固定保持するように配置したことを特徴とする請求項１または２に記載のソーラーパネル用架台。
【請求項４】
前記支持部材は、高丈支え部材と、この高丈支え部材より高さが低い低丈支え部材を有し、前記ソーラーパネルを傾斜状態に支える構成としたことを特徴とする請求項１〜３のいずれかに記載のソーラーパネル用架台。
【請求項５】
前記ベースレールおよび前記支持部材の少なくとも一方は、隣接するソーラーパネルに供用する構成としたことを特徴とする請求項１〜４のいずれかに記載のソーラーパネル用架台。
【請求項６】
前記支持部材は、前記ソーラーパネルを複数、前記ベースレールに沿って山状に支持することを特徴とする請求項１〜５のいずれかに記載のソーラーパネル用架台。
【請求項７】
前記支持部材は、ソーラーパネルを複数、前記ベースレールに沿って離間して支持することを特徴とする請求項１〜６のいずれかに記載のソーラーパネル用架台。
【発明の詳細な説明】
【技術分野】
【０００１】
本発明は、ソーラーパネルを設置場所に設置するためのソーラーパネル用架台に関する。
【背景技術】
【０００２】
ソーラーパネルを設置場所に設置するためのソーラーパネル用架台としては、従来、種々のものが知られている。
【０００３】
たとえば特許文献１には、ソーラーパネルの周囲に設けられるフレームを固定支持する固定部材と、この固定部材がスライド可能な上側ガイドレールを有するスライド部材と、このスペーサがスライド可能な下側ガイドレールを有する架台フレームとを備えた太陽光発電装置の架台が開示されている。
【０００４】
また、たとえば特許文献２には、ベースレールと、このベースレールにスライド可能に取付けられてスライド部材と、ベースレールにソーラーパネルを押さえつけるためのパネル押さえ部材と、このパネル押さえ部材とスライド部材とを連結する連結部材とを備えた太陽光発電パネル用架台が開示されている。
【先行技術文献】
【特許文献】
【０００５】
【特許文献１】特開２０１６−６５３９６号公報
【特許文献２】特開２０２０−１１７９０１号公報
【発明の概要】
【発明が解決しようとする課題】
【０００６】
しかしながら、特許文献１に開示の架台では、架台フレームを傾斜した屋根に、取付具、ボルト、ネジなどによって固定する構造であり、また特許文献２に開示の架台では、水平で平らな陸屋根に接着剤、ネジ、ボルトなどで固定する構造であるため、いずれも設置作業が煩雑である。
【０００７】
本発明は、上記事情に基づいてなされたもので、その目的とするところは、設置作業が簡単に行えるソーラーパネル用架台を提供することにある。
【課題を解決するための手段】
【０００８】
上記課題を解決するために、本発明は、少なくとも１以上の方形のソーラーパネルを設置場所に設置するためのソーラーパネル用架台であって、ソーラーパネルの対向する二辺に沿って設置場所に移動可能に配置される一対のベースレールと、この一対のベースレールに移動可能に取付けられ、ソーラーパネルの二辺を支持する複数の支持部材と、ベースレールを設置場所に動かないように固定保持するバラストとを備えたことを特徴とするものである。
【０００９】
ベースレールは、架台の横ずれを防止する横ずれ防止部材を有していることが好ましい。
【００１０】
また、一対のベースレールに掛け渡された載荷フレームを備え、バラストは、載荷フレームに載置する構成とするのが好ましい。
【００１１】
さらに、バラストは、ソーラーパネルの下方投影範囲内および下方投影範囲外においてベースレールを固定保持するように配置するのが好ましい。
【００１２】
さらに、支持部材は、高丈支え部材と、この高丈支え部材より高さが低い低丈支え部材を有し、ソーラーパネルを傾斜状態に支える構成とするのが好ましい。
【００１３】
さらに、ベースレールおよび支持部材の少なくとも一方は、隣接するソーラーパネルに供用する構成とするのが好ましい。
【００１４】
さらに、支持部材は、ソーラーパネルを複数、ベースレールに沿って山状に支持するのが好ましい。
【００１５】
さらに、支持部材は、ソーラーパネルを複数、ベースレールに沿って離間して支持するのが好ましい。
【発明の効果】
【００１６】
本発明によれば、設置作業が簡単に行えるソーラーパネル用架台を提供することができる。
【図面の簡単な説明】
【００１７】
図面は、本開示に係る本発明の特定の実施の形態を示し、発明の不可欠な構成ばかりでなく、選択的及び好ましい実施の形態を含む。
【図１】本発明の実施形態に係るソーラパネル用架台を用いた太陽光発電装置を示す斜視図。
【図２】同太陽光発電装置を示す分解斜視図。
【図３】同太陽光発電装置を下方から視た斜視図。
【図４】同ソーラーパネル用架台のベースレールを示す斜視図。
【図５】同ベースレールを示す底面図。
【図６】同ベースレールを示す断面図。
【図７】同ソーラーパネル用架台の載荷フレームを示す斜視図。
【図８】同ソーラーパネル用架台の載荷フレームを示す断面図。
【図９】同ソーラーパネル用架台の高丈支え部材を示す斜視図。
【図１０】同高丈支え部材を示す断面図。
【図１１】同低丈支え部材を示す斜視図。
【図１２】同低丈支え部材を示す断面図。
【図１３】同ソーラーパネル用架台の端部押え部材を示す断面図。
【図１４】同高丈支え部材における端部押えを示す斜視図。
【図１５】同高丈支え部材における端部押えを示す分解斜視図。
【図１６】同高丈支え部材における端部押えを示す断面図。
【図１７】同低丈支え部材における端部押えを示す斜視図。
【図１８】同低丈支え部材における端部押えを示す断面図。
【図１９】同ソーラーパネル用架台の中間押え部材を示す斜視図。
【図２０】同中間押え部材の取付状態をせつめいするための分解斜視図。
【図２１】同中間押え部材の取付状態を示す断面図。
【図２２】同中間押え部材の取付状態を示す斜視図。
【発明を実施するための形態】
【００１８】
以下、本発明の実施形態について図面を参照しながら説明する。
【００１９】
図１中、符号１は、太陽光発電装置を示している。
【００２０】
この太陽光発電装置１は、複数のソーラーパネル２…をたとえば陸屋根などの設置場所に設置するための架台３を備えている。
【００２１】
各ソーラーパネル２は、パネル本体やこのパネル本体の周縁に設けられたパネル枠などから構成され、たとえば短手縁と長手縁を有する長方形に形成されている。
【００２２】
複数のソーラーパネル２…は、短手方向に複数列、長手方向に複数列、配列され、短手方向に隣接する奇数列と偶数列のソーラーパネル２，２は、隣接する側の高さが高くなるように、すなわち山状になるように、傾斜状態で架台３に支持されている。
【００２３】
この架台３は、図２および図３に示すように、ソーラパネル２…の長手方向に間隔を空けて平行に配置された複数のベースレール４…を備えている。
【００２４】
すなわち、この複数のベースレール４…は、ソーラーパネル２…の短手縁に沿って配置されている。
【００２５】
また、この複数のベースレール４…には、載荷フレーム５…がソーラパネル２…の長手方向に沿って掛け渡されている。
【００２６】
さらに、この載荷フレーム５…には、バラスト６…が載置され、これによりベースレール４…が設置場所に動かないように固定される構成となっている。
【００２７】
このバラスト６…は、ソーラーパネル２…の下方投影範囲内すなわちソーラーパネル２…の傾斜上端側下方およびソーラーパネル２…の下方投影範囲外すなわちソーラーパネル２…の傾斜下端前方に設けられている。
【００２８】
また、ベースレール４…の底面には、架台３の横ずれを防止するたとえばＥＰＤＭゴムからなる複数の横ずれ防止部材７…が設けられている。
【００２９】
さらに、ベースレール４…には、複数の支持部材８…が取り付けられ、これら支持部材８…によってソーラーパネル２…の短手縁が支持されるようになっている。
【００３０】
すなわち、支持部材８…は、高さの高い高丈支え部材９と、この高丈支え部材９より高さが低い低丈支え部材１０と、端部に配置されたソーラーパネル２の端部側の短手縁を高丈支え部材９または低丈支え部材に押え付ける端部押え部材１１と、隣接するソーラーパネル２の短手縁を高丈支え部材９または低丈支え部材１０に押え付ける中間押え部材１２とを備えている。
【００３１】
高丈支え部材９は、ソーラーパネル２の傾斜上端側を支えるようにベースレール４に取り付けられている。
【００３２】
また、この高丈支え部材９は、ソーラーパネル２の短手方向に隣接する奇数列および偶数列のソーラーパネル２，２の傾斜上端側を共通して支えることができるようになっているとともに、ソーラーパネル２の長手方向に隣接するソーラーパネル２，２の傾斜上端側を共通して支えることができるようになっている。
【００３３】
低丈支え部材１０は、ソーラーパネル２の傾斜下端側を支えるようにベースレール４に取り付けられている。
【００３４】
また、この低丈支え部材１０は、ソーラーパネル２の長手方向に隣接するソーラーパネル２，２の傾斜下端側を共通して支えることができるようになっている。
【００３５】
ベースレール４は、図４〜図６に示すように、ベースレール４の長手方向に沿う第１の案内溝１３を有している。
【００３６】
この第１の案内溝１３は、ベースレール４の上面部に開口していて、この開口部１４の幅は第１の案内溝１３の幅より狭く形成されている。
【００３７】
さらに、ベースレール４の底面部には、横ずれ防止部材７が嵌合する嵌合溝１５が長手方向に沿って形成され、この嵌合溝１５の入り口は溝内部より若干狭く形成されている。
【００３８】
横ずれ防止部材７は、ベースレール４の底面に重合する横ずれ防止部材本体１６と、この横ずれ防止部材本体１６の上面に突出形成された嵌合突条部１７とを有している。
【００３９】
この嵌合突条部１７は、嵌合溝１５の断面形状に相似する形状を呈しているとともに内部に空洞１８が設けられ、嵌合溝１５に弾性的に嵌合するようになっている。
【００４０】
載荷フレーム５は、図７および図８に示すように、ベースレール４の上面に当接する底板部１８と、この底板部１８の一端から起立する起立部１９とを有し、断面Ｌ字状に形成されている。
【００４１】
そして、一対の載荷フレーム５，５でバラスト６…を支持するようになっている。
【００４２】
すなわち、一対の載荷フレーム５，５は、底板部１８が内側になるように対向し、バラスト６…を底板部１８，１８上に載置し、起立部１９，１９で挟むように構成されている。
【００４３】
また、底板部１８には長穴２０が開けられていて、ベースレール４の第１の案内溝１３内にスライド可能に設けられるナット２１と、このナット２１に第１の案内溝１３の開口部１４および底板部１８の長穴２０を介して螺合するボルト２２とによってベースレール４に固定されるようになっている。
【００４４】
上述の高丈支え部材９は、図９および図１０に示すように、支持台２３を有している。
【００４５】
この支持台２３は、ベースレール４の上面に載置され、固定部材２４によりベースレール４の所望の位置に固定されるようになっている。
【００４６】
すなわち、支持台２３の底部には鍔２５，２５が突出形成されている。
【００４７】
また、固定部材１４は、中央に穴２６を有していて、ベースレール４の第１の案内溝１３内にスライド可能に設けられるナット２７に第１の案内溝１３の開口部１４および穴２６を介してボルト２８が螺合し締付けることにより、一端側が鍔２５に当接するとともに他端側がベースレール４に当接し、これにより支持台２３をベースレール４に固定するようになっている。
【００４８】
また、支持台２３の上部には、短手方向に隣接するソーラーパネル２，２の傾斜上端側かつ短手縁を支える一対の支え部２９，２９が設けられている。
【００４９】
各支え部１９には、ベースレール４と直行する方向すなわちソーラーパネル２の長手方向に平行な第２の案内溝３０が形成されている。
【００５０】
この第２の案内溝３０は、上方が開口していて、この開口部３１の幅は第２の案内溝３０の幅より狭く形成されている。
【００５１】
上述の低丈支え部材１０は、図１１および図１２に示すように、ベースレール４と直行する方向すなわちソーラーパネル２の長手方向に平行な第３の案内溝３２を有している。
【００５２】
この第３の案内溝３２は、上方が開口していて、この開口部３３の幅は第３の案内溝３２の幅より狭く形成されている。
【００５３】
また、第３の案内溝３２の両側上部は、ソーラーパネル２の傾斜下端側かつ短手縁を支える支え部３４，３４となっている。
【００５４】
さらに、低丈支え部材１０は、第３の案内溝３２の底部に穴３５を有していて、ベースレール４の第１の案内溝１３内にスライド可能に設けられるナット３６に第の１案内溝１３の開口部１４および穴３５を介してボルト３７が螺合し締付けることにより、ベースレール４に固定されるようになっている。
【００５５】
さらに、ソーラーパネル２の端部は、端部押え部材１１によって高丈支え部材９の支え部２９または低丈支え部材１０の支え部３４に押え付けられ固定されるようになっている。
【００５６】
すなわち、端部押え部材１１は、図１３に示すように、高丈支え部材９の支え部２９または低丈支え部材１０の支え部３４に当接する底板部３８と、この底板部３８の一端側から起立する起立部３９と、この起立部３９から底板部３８と反対側に延出する延出部４０とを備え、底板部３８には穴４１が形成されている。
【００５７】
そして、図１４〜図１６に示すように、高丈支え部材９の第２の案内溝３０内にスライド可能に設けられるナット４２に第の２案内溝３０の開口部３１および端部押え部材１１の穴４１を介してボルト４３が螺合し締付けることにより、端部押え部材１１の延出部４０がソーラーパネル２の上端側短手縁を高丈支え部材９の支え部２９，２９に向けて押え付け固定するようになっている。
【００５８】
なお、端部押え部材１１の底板部３８と高丈支え部材９の支え部２９との間にはスペーサ４４が介在されている。
【００５９】
また、図１７および図１８に示すように、低丈支え部材１０の第３の案内溝３２内にスライド可能に設けられるナット４５に第の３案内溝３２の開口部３３および端部押え部材１１の穴４１を介してボルト４６が螺合し締付けることにより、端部押え部材１１の延出部４０がソーラーパネル２の下端側短手縁を低丈支え部材１０の支え部３４，３４に押え付け固定するようになっている。
【００６０】
なお、端部押え部材１１の底板部３８と低丈支え部材１０の支え部３４，３４との間にはスペーサ４４が介在されている。
【００６１】
さらに、隣接するソーラーパネル２，２の端部は、中央押え部材１２によって高丈支え部材９の支え部２９または低丈支え部材１０の支え部３４に押え付けられ固定されるようになっている。
【００６２】
すなわち、中間押え部材１２は、図２０に示すように、ソーラーパネル２，２の端部側面に当接する側面当接部４８と、この側面当接部４８の上部からソーラーパネル２，２の端部上面側に延出し、ソーラーパネル２，２の端部上面を押える押え部４９，４９とを有している。
【００６３】
また、中間押え部材１２には、側面当接部４８を貫通する孔５０が形成されている。
【００６４】
そして、図２０および図２１に示すように、高丈支え部材９の第２の案内溝３０内にスライド可能に設けられるナット５１に第２の案内溝３０の開口部３１および中間押え部材１２の孔５０を介してボルト５２が螺合し締付けることにより、中間押え部材１２の押え部４９がソーラーパネル２の傾斜上端側短手縁を高丈支え部材９の支え部２９，２９に押え付け固定するようになっている。
【００６５】
なお、中間押え部材１２と高丈支え部材９の支え部２９，２９との間にはスペーサ５３が介在されている。
【００６６】
また、図２２に示すように、低丈支え部材１０の第３の案内溝３２内にスライド可能に設けられるナット５４に第３の案内溝３２の開口部３３および中間押え部材１２の孔５０を介してボルト５５が螺合し締付けることにより、中間押え部材１２の押え部４９，４９がソーラーパネル２，２の下端側短手縁を低丈支え部材１０の支え部３４，３４に押え付け固定するようになっている。
【００６７】
なお、端部押え部材１１と低丈支え部材１０の支え部３４，３４との間にはスペーサ５６が介在されている。
【００６８】
以上の構成によれば、バラスト６…によりベースレール４…を固定するので、設置場所への設置が簡単に行える。
【００６９】
また、バラスト６…を取り外すだけでベースレール４…の移動が簡単に行え、しかも、支持部材８…のベースレール４…への取付位置が簡単に変更できるので、異なるサイズのソーラパネルに変更する場合、その変更作業が容易に行える。
【００７０】
さらに、ソーラーパネル２…を山状に配置し、すなわち、短手方向に奇数列目と偶数列目のソーラーパネル２…の隣接側を共通の高丈支え部材９で支えるようにしたので、支持構造の簡単化が図れる。
【００７１】
さらに、ソーラーパネル２の短手縁を高丈支え部材９および低丈支え部材１０と端部押え部材１１および中間押え部材１２とで挟持するようになっているので、隣接するソーラーパネル２，２の間隔を容易に調整することができる。
【００７２】
したがって、山状に配置されたソーラーパネル２，２の頂上部分、すなわち高丈支え部材９で支えるソーラーパネル２，２間には、図２１に示すように、空間を形成することができるので、ソーラーパネル２…の下空間の放熱を効果的に行うことができる。
【符号の説明】
【００７３】
１      太陽光発電装置
２      ソーラーパネル
３      ソーラーパネル用架台
４      ベースレール
５      載荷フレーム
６      バラスト
７      横ずれ防止部材
８      支持部材
９      高丈支え部材
１０    低丈支え部材
【要約】
【課題】設置作業が簡単に行えるソーラーパネル用架台を提供する。
【解決手段】ソーラーパネルの対向する二辺に沿って設置場所に移動可能に配置される一対のベースレールと、この一対のベースレールに移動可能に取付けられ、ソーラーパネルの二辺を支持する複数の支持部材と、ベースレールを設置場所に動かないように固定保持するバラストとを備える。
【選択図】図１【図１】
0006966137.tif 000002
【図２】
0006966137.tif 000003
【図３】
0006966137.tif 000004
【図４】
0006966137.tif 000005
【図５】
0006966137.tif 000006
【図６】
0006966137.tif 000007
【図７】
0006966137.tif 000008
【図８】
0006966137.tif 000009
【図９】
0006966137.tif 000010
【図１０】
0006966137.tif 000011
【図１１】
0006966137.tif 000012
【図１２】
0006966137.tif 000013
【図１３】
0006966137.tif 000014
【図１４】
0006966137.tif 000015
【図１５】
0006966137.tif 000016
【図１６】
0006966137.tif 000017
【図１７】
0006966137.tif 000018
【図１８】
0006966137.tif 000019
【図１９】
0006966137.tif 000020
【図２０】
0006966137.tif 000021
【図２１】
0006966137.tif 000022
【図２２】
0006966137.tif 000023